(57)【要約】    【課題】  領域を設定する際の操作を簡易な手順で且つ円滑に行うことを可能とし、使い勝手の向上を図ることを可能とした画像領域設定装置を提供する。    【解決手段】  デジタルカメラは、システム制御回路５０、サブダイヤル６８、方向指示キー６９、スイッチ操作部７０等を備える。システム制御回路５０は、第２の領域指示方法による最小移動量が、第１の領域指示方法による最小移動量よりも少ない量となるよう制御する。また、第１の領域指示方法による拡大表示領域が指示された後、第２の領域指示方法による拡大表示領域が指示された場合、第２の領域指示方法による最小移動量を変更する。また、第２の領域指示方法による拡大表示領域の指示中に、第１の領域指示方法による拡大表示領域が指示された場合、第１及び第２の領域指示方法それぞれ単独で指示される方向とは別の方向を指示するよう制御する。【選択図】      図２
2006345104.tif 000002
【特許請求の範囲】
【請求項１】
表示手段に拡大表示する画像の領域を設定する画像領域設定装置であって、
前記表示手段に拡大表示する領域を指示可能な第１の領域指示方法に用いる第１の操作手段と、
前記表示手段に拡大表示する領域を指示可能な第２の領域指示方法に用いる第２の操作手段と、
前記第２の領域指示方法によって指示される最小移動量を、前記第１の領域指示方法によって指示される最小移動量より少ない量となるように制御を行う制御手段とを備えることを特徴とする画像領域設定装置。
【請求項２】
前記制御手段は、前記第１の領域指示方法による領域の指示が行われ、次に前記第２の領域指示方法による領域の指示が行われた後、更に前記第１の領域指示方法による領域の指示が行われた場合、前記第１の領域指示方法によって指示される最小移動量を前記第２の領域指示方法によって指示される最小移動量よりも少ない量へ変更することを特徴とする請求項１記載の画像領域設定装置。
【請求項３】
前記制御手段は、前記第２の領域指示方法による領域の指示中に、前記第１の領域指示方法による領域の指示が行われた場合、前記第１の操作手段及び前記第２の操作手段それぞれ単独操作で指示される方向とは別の方向を指示するように制御を行うことを特徴とする請求項１記載の画像領域設定装置。
【請求項４】
前記別の方向は、前記第２の領域指示方法による指示方向に対して、前記第１の領域指示方法による回転方向に略４５度回転した方向であることを特徴とする請求項３記載の画像領域設定装置。
【請求項５】
前記制御手段は、前記表示手段に表示されている領域が画像のどの部分に相当するかを示す領域確認用表示を前記表示手段に表示することを特徴とする請求項１記載の画像領域設定装置。
【請求項６】
前記第１の領域指示方法により指示可能な領域は、互いに重複しない領域であることを特徴とする請求項１記載の画像領域設定装置。
【請求項７】
前記領域は、画像を拡大して表示する際の拡大表示領域、画像をトリミングして印刷する際のトリミング領域を含む群から選択されることを特徴とする請求項１乃至６の何れかに記載の画像領域設定装置。
【請求項８】
前記請求項１乃至７の何れかに記載の画像領域設定装置を備えることを特徴とする撮像装置。
【請求項９】
表示手段に拡大表示する画像の領域を設定する画像領域設定方法であって、
前記表示手段に拡大表示する領域を指示可能な第１の領域指示方法により領域を指示する第１の操作ステップと、
前記表示手段に拡大表示する領域を指示可能な第２の領域指示方法により領域を指示する第２の操作ステップと、
前記第２の領域指示方法によって指示される最小移動量を、前記第１の領域指示方法によって指示される最小移動量より少ない量となるように制御を行う制御ステップとを備えることを特徴とする画像領域設定方法。
【請求項１０】
表示手段に拡大表示する画像の領域を指示可能な第１の領域指示方法、前記表示手段に拡大表示する画像の領域を指示可能な第２の領域指示方法を用いて、画像の領域を設定する画像領域設定方法をコンピュータに実行させるプログラムであって、
前記第２の領域指示方法によって指示される最小移動量を、前記第１の領域指示方法によって指示される最小移動量より少ない量となるように制御を行う制御モジュールを備えることを特徴とするプログラム。
【発明の詳細な説明】
【技術分野】
【０００１】
本発明は、操作性の異なる操作部材を組み合わせて操作することで画像の拡大表示領域や画像のトリミング領域を指示する場合に適用して好適な画像領域設定装置、撮像装置、画像領域設定方法、及びプログラムに関する。
【背景技術】
【０００２】
従来、デジタルカメラで撮影した画像を表示部に拡大して表示する際に画像の拡大表示領域を設定する場合や、画像をトリミングして印刷する際にトリミング領域を設定する場合等は、ユーザは操作部により画像の一部分の領域を選択する操作を行っている。
【０００３】
図１１（ａ）〜（ｈ）は、従来例に係るデジタルカメラにおける画像の拡大表示領域に関わる領域指示方法を示す図である。
【０００４】
図１１において、デジタルカメラの表示部１０００に画像を拡大して表示する場合について説明する。先ず、ユーザはデジタルカメラの操作部に装備された再生ボタンを押すことにより、表示部１０００に画像を表示させる（図１１（ａ））。次に、ユーザが操作部に装備された拡大ボタン１００１を押すと、画像の中心を基準に拡大画像が表示部１０００に表示される。この場合、画像のどの領域が拡大表示されているかを示す領域確認用表示１００２も表示部１０００に表示される（図１１（ｂ））。更に、ユーザが拡大ボタン１００１を押すと、画像は更に拡大される（図１１（ｃ））。
【０００５】
次に、ユーザが操作部の方向指示キー１００３の右移動スイッチを押すと、画像の拡大表示領域が右へ移動する（図１１（ｄ））。更に、ユーザが方向指示キー１００３の右移動スイッチを押すと、画像の拡大表示領域が更に右へ移動する（図１１（ｅ））。尚、表示部１０００に表示した拡大画像を縮小する場合には、操作部に装備された縮小ボタンを押す。
【０００６】
このように、表示部１０００に表示する画像の拡大率を操作部の拡大ボタンや縮小ボタンの操作により調節し、方向指示キーにより画像の拡大表示領域の位置を決めて行くといった操作を繰り返す。これにより、表示部１０００に表示する画像（画像を拡大する場合は拡大表示領域）を所望の拡大率に設定することができる。
【０００７】
また、表示部１０００に拡大して表示する画像は、操作部のサブダイヤル１００４をクリックすることにより切り替えることができる。この場合、表示部１０００に対する表示対象の画像は、デジタルカメラ内部の画像記録部またはデジタルカメラに装着される記録媒体に記録されている。
【０００８】
例えば、図１１（ｆ）の表示状態で、ユーザがサブダイヤル１００４を右へ１クリック回転させると、拡大率と拡大表示領域は保ったままで、図１１（ｆ）の画像の１つ後の画像が表示部１０００に表示される（図１１（ｇ））。尚、表示部１０００の左下に表示されている数字（１／３）は、デジタルカメラ内部に保存された全画像の枚数が３枚で且つそのうちの１枚目の画像を表示していることを示している。
【０００９】
更に、ユーザがサブダイヤル１００４を右へ１クリック回転させると、上記と同様に、図１１（ｇ）の画像の１つ後の画像が表示部１０００に表示される（図１１（ｈ））。
【００１０】
また、ダイヤルキーや方向選択キー等を操作することで撮影画像の拡大再生／ズーム再生を行う技術や、トリミング位置を指示する指示部材（方向指示キー）と他の操作部材（ダイヤルキー）との併用に関する技術が各種提案されている（例えば、特許文献１参照）。
【特許文献１】特開平１１−２７５４２６号公報
【発明の開示】
【発明が解決しようとする課題】
【００１１】
上記従来例のデジタルカメラでは、操作部に装備された操作部材や指示部材（拡大ボタン、サブダイヤル、方向指示キー等）の役割が完全に独立していると共に、操作部材や指示部材の役割が明確になっている。しかし、その反面、デジタルカメラの表示部に表示する画像の拡大率と拡大表示領域を設定する際に、ユーザが所望の設定を行うまで、何度も操作部材や指示部材を切り替えて操作しなくてはならず、操作が煩雑であり、使い勝手が悪いという問題があった。
【００１２】
本発明の目的は、領域を設定する際の操作を簡易な手順で且つ円滑に行うことを可能とし、使い勝手の向上を図ることを可能とした画像領域設定装置、撮像装置、画像領域設定方法、及びプログラムを提供することにある。
【課題を解決するための手段】
【００１３】
上述の目的を達成するために、本発明の画像領域設定装置は、表示手段に拡大表示する画像の領域を設定する画像領域設定装置であって、前記表示手段に拡大表示する領域を指示可能な第１の領域指示方法に用いる第１の操作手段と、前記表示手段に拡大表示する領域を指示可能な第２の領域指示方法に用いる第２の操作手段と、前記第２の領域指示方法によって指示される最小移動量を、前記第１の領域指示方法によって指示される最小移動量より少ない量となるように制御を行う制御手段とを備えることを特徴とする。
【００１４】
上述の目的を達成するために、本発明の画像領域設定方法は、表示手段に拡大表示する画像の領域を設定する画像領域設定方法であって、前記表示手段に拡大表示する領域を指示可能な第１の領域指示方法により領域を指示する第１の操作ステップと、前記表示手段に拡大表示する領域を指示可能な第２の領域指示方法により領域を指示する第２の操作ステップと、前記第２の領域指示方法によって指示される最小移動量を、前記第１の領域指示方法によって指示される最小移動量より少ない量となるように制御を行う制御ステップとを備えることを特徴とする。
【００１５】
上述の目的を達成するために、本発明のプログラムは、表示手段に拡大表示する画像の領域を指示可能な第１の領域指示方法、前記表示手段に拡大表示する画像の領域を指示可能な第２の領域指示方法を用いて、画像の領域を設定する画像領域設定方法をコンピュータに実行させるプログラムであって、前記第２の領域指示方法によって指示される最小移動量を、前記第１の領域指示方法によって指示される最小移動量より少ない量となるように制御を行う制御モジュールを備えることを特徴とする。
【発明の効果】
【００１６】
本発明によれば、第２の領域指示方法の最小移動量を、第１の領域指示方法の最小移動量よりも少ない量となるよう制御するため、ユーザは荒い設定と細かい設定を行うことが可能となる。これにより、画像の領域を設定する際の操作を従来よりも簡易な手順で且つ円滑に行うことが可能となり、使い勝手の向上を図ることが可能となる。
【００１７】
また、第１の領域指示方法による指示、次に第２の領域指示方法による指示の後、第１の領域指示方法による指示が行われた場合、第１の領域指示方法の最小移動量を第２の領域指示方法の最小移動量より少ない量へ変更するため、操作性を向上させることが可能となる。
【００１８】
また、第２の領域指示方法による指示中に、第１の領域指示方法による指示が行われた場合、第１及び第２の操作手段それぞれ単独操作で指示される方向とは別の方向を指示するよう制御するため、新規な操作手段を設けずに別方向の指示が可能となる。
【発明を実施するための最良の形態】
【００１９】
以下、本発明の実施の形態を図面を参照して説明する。
【００２０】
［第１の実施の形態］
図１は、本発明の第１の実施の形態に係る撮像装置としてのデジタルカメラの構成を示すブロック図である。
【００２１】
図１において、デジタルカメラ１００は、撮影レンズ１０、撮像素子１４、システム制御回路５０、画像表示部２８、モードダイヤル６０、シャッタスイッチ６２、６４、メインダイヤル６６、サブダイヤル６８、方向指示キー６９、スイッチ操作部７０等を備えている。尚、以下では本発明と直接関係無い構成の説明は省略または簡略化する。
【００２２】
撮影動作に伴い、撮影レンズ１０を通過した光束は、ミラー１１に入射し、撮像素子１４、光学ファインダ１０４、測距演算部４０、測光演算部４１へ導かれる。レンズ制御回路４２は、測距点４４の中から選択された測距点情報で演算した演算結果に基づき撮影レンズ１０をフォーカシング制御する。メカ制御回路４３は、ミラー１１、シャッタ１２を制御する。タイミング発生回路１８は、撮像素子１４等にクロック信号や制御信号を供給する。
【００２３】
画像処理回路２０は、 Ａ／Ｄ変換器１６或いはメモリ制御回路２２からのデータに対する画素補間処理、色変換処理、ＴＴＬ方式のＡＷＢ（オートホワイトバランス）処理を行う。Ａ／Ｄ変換器１６から出力されたデータが、画像処理回路２０、メモリ制御回路２２を介して、或いは直接メモリ制御回路２２を介して、画像表示メモリ２４或いは画像データメモリ３０に書き込まれる。
【００２４】
画像表示部２８は、デジタルカメラ背面部に配設されており、例えばＴＦＴ型ＬＣＤ等から構成されている。画像表示部２８には、画像表示メモリ２４に書き込まれた表示用の画像データが、システム制御回路５０の制御に基づきＤ／Ａ変換器２６を介して表示される。画像表示部２８は、撮像後の画像確認やシステム制御回路５０との通信に基づく様々な情報報知にも使用される。撮影画像を拡大して表示する場合の拡大表示領域を設定する場合や、撮影画像をプリントする際のトリミング領域を設定する場合には、画像と現在の設定領域が画像表示部２８に表示される。ユーザは、画像を見ながら設定領域を決めることができる。
【００２５】
画像データメモリ３０は、撮影した所定枚数の静止画像や所定時間の動画像を格納するのに十分な記憶量を備えている。また、画像データメモリ３０は、システム制御回路５０の作業領域としても使用可能である。画像ファイル生成部３２は、画像データメモリ３０に格納された画像を読み込んで圧縮／伸長処理を行い、処理後のデータを画像データメモリ３０に書き込む。画像ファイル生成部３２は、画像データメモリ３０に格納されたＲ、Ｇ、Ｂ の画像データを輝度信号Ｙ及び色差信号ＣからなるＹＣデータに変換し、圧縮した画像ファイルを生成する。
【００２６】
画像データメモリ３０に書き込まれた圧縮データを読み出し画像表示部２８に画像を出力することで、サムネイル（thumbnail）画像となる。更に、画像データメモリ３０から圧縮データを連続して読み出し画像表示部２８に並べて表示することで、インデックス画像（マルチ画像）としてモニタすることができる。
【００２７】
システム制御回路５０は、デジタルカメラ全体を制御するものであり、内部にＲＯＭ、ＲＡＭ、Ａ／Ｄコンバータ、Ｄ／Ａコンバータを有するマイクロコンピュータである。また、システム制御回路５０は、プログラムに基づき、図４と図５（第１の実施の形態）、図７と図８（第２の実施の形態）、図１０（第３の実施の形態）の各フローチャートに示す表示制御処理を実行する。表示部５４は、動作状態やメッセージ等を表示／音声出力する。不揮発性メモリ５６は、現在の設定状態等を記憶する。
【００２８】
操作系（モードダイヤル６０、シャッタスイッチ６２、６４、メインダイヤル６６、サブダイヤル６８、方向指示キー６９、スイッチ操作部７０）は、ユーザがデジタルカメラ１００に対する各種指示を入力するためのものである。システム制御回路５０は、ユーザによる操作系を介した各種指示に基づき各種制御を実行する。
【００２９】
モードダイヤル６０は、撮影モードの設定に用いる。シャッタスイッチ（ＳＷ１）６２は、ＡＦ（自動焦点調節）処理、ＡＥ（自動露出）処理、ＡＷＢ処理、ＥＦ（フラッシュ発光）処理等の動作開始指示に用いる。シャッタスイッチ（ＳＷ２）６４は、露光処理、撮像処理、記録処理という一連の処理の動作開始指示に用いる。露光処理は、撮像素子１４から読み出した信号を画像データメモリ３０に画像データとして書き込む処理である。撮像処理は、画像処理回路２０やメモリ制御回路２２での演算による処理である。記録処理は、画像データメモリ３０から画像データを読み出し、記録媒体２００に書き込む処理である。
【００３０】
メインダイヤル６６は、露出補正の設定等に用いる。サブダイヤル６８は、デジタルカメラ背面部に配設されており、画像表示部２８に表示された設定値の選択や、画像表示部２８に表示する画像の選択等に用いる。方向指示キー６９は、上下左右の４つのスイッチ（上移動スイッチ、下移動スイッチ、左移動スイッチ、右移動スイッチ）から構成されており、画像表示部２８に表示した画像を上下左右に移動（微動）させる際に用いる。
【００３１】
スイッチ操作部７０は、画像表示部２８における表示画像を拡大する拡大モードを設定するための拡大ボタン７１、画像表示部２８における表示画像を縮小する縮小モードを設定するための縮小ボタン７２、再生ボタン、測距点選択ボタン、メニューボタン、セットボタン、単写／連写／セルフタイマ切り替えボタン、露出補正ボタン（不図示）等から構成される。
【００３２】
電源制御回路８０は、必要な電圧をデジタルカメラ１００及び記録媒体２００を含む各部へ供給するものであり、電源接続用コネクタ８２、８４を介して電源８６と接続されている。インタフェース９０は、コネクタ９２、２０６を介して記録媒体２００とのインタフェースを司る。記録媒体着脱検知部９８は、記録媒体２００の装着の有無を検知する。記録媒体２００は、記録部２０２、インタフェース２０４、コネクタ２０６を備えている。
【００３３】
次に、上記構成を有する本実施の形態のデジタルカメラにおける画像の拡大表示領域の指示方法及び表示制御について、図２乃至図５を参照しながら詳細に説明する。
【００３４】
図２（ａ）〜（ｈ）は、デジタルカメラにおける画像の拡大表示領域に関わる第１の領域指示方法を示す図である。図４は、第１の領域指示方法による拡大表示領域の遷移を示すフローチャートである。
【００３５】
尚、第１の領域指示方法は、拡大ボタン７１及びサブダイヤル６８を使用した拡大表示領域の指示方法（「拡大表示領域をブロック単位で設定」（荒い設定）する指示方法）である。
【００３６】
図２及び図４において、先ず、ユーザがスイッチ操作部７０の再生ボタンを押すと、システム制御回路５０は、画像表示部２８に画像を表示する（図２（ａ））（ステップＳ１）。次に、ユーザがスイッチ操作部７０の拡大ボタン７１を押し拡大モードに設定すると、システム制御回路５０は、画像を例えば９分割した領域のうち中央領域の拡大画像を画像表示部２８に表示する。同時に、システム制御回路５０は、現在表示されている領域が画像のどの部分であるかを示す領域確認用表示２９も画像表示部２８に表示する（図２（ｂ））（ステップＳ２）。
【００３７】
尚、第１の領域指示方法により指示可能な拡大表示領域は、互いに重複しない領域である。また、図２では領域確認用表示２９のうち現在表示中の領域を白抜きで示している。
【００３８】
次に、ユーザがサブダイヤル６８を右へ１クリック回転させると、システム制御回路５０は、画像表示部２８における拡大表示領域を中央領域から右の領域へ移動させる。この場合、上記分割したブロック単位で移動させる（図２（ｃ））（ステップＳ３）。再度、ユーザがサブダイヤル６８を右へ１クリック回転させると、本来、拡大表示領域を更に１つ右の領域へ移動させるところであるが、拡大表示領域は右の端に突き当たっている。そのため、システム制御回路５０は、拡大表示領域を左下の領域へ移動させる（図２（ｄ））（ステップＳ４）。
【００３９】
更に、ユーザがサブダイヤル６８を右へ回転させていくと、システム制御回路５０は、画像表示部２８上で、上記分割されたブロック単位で拡大表示領域を次々と移動させていく。即ち、システム制御回路５０は、拡大表示領域を左下の領域から、左下と右下の間の領域、右下の領域へと順次移動させていく（図２（ｅ）、（ｆ））（ステップＳ５）。
【００４０】
今度は、ユーザがサブダイヤル６８を左へ１クリック回転させると、システム制御回路５０は、画像表示部２８に表示する拡大表示領域を１つ左の領域へ戻す（図２（ｇ））（ステップＳ６）。更に、ユーザがサブダイヤル６８を左へ１クリック回転させると、システム制御回路５０は、画像表示部２８に表示する拡大表示領域を右下の領域から１つ左の領域（左下と右下の間の領域）へ戻す（図２（ｈ））（ステップＳ７）。
【００４１】
このように、ユーザはサブダイヤル６８の操作により、画像表示部２８において画像を拡大表示させる拡大表示領域をブロック単位で選択していく。
【００４２】
図３（ａ）〜（ｆ）は、デジタルカメラにおける画像の拡大表示領域に関わる第２の領域指示方法を示す図である。図５は、第２の領域指示方法による拡大表示領域の遷移を示すフローチャートである。
【００４３】
尚、第２の領域指示方法は、方向指示キー６９を使用した拡大表示領域の指示方法（「拡大表示領域を細かく設定」（細かい設定）する指示方法）である。
【００４４】
図３及び図５において、画像表示部２８におけるブロック単位での拡大表示領域が決定すると（図３（ａ））（ステップＳ１１）、ユーザは操作部の方向指示キー６９を操作していく。例えば、ユーザが方向指示キー６９の上移動スイッチを押すと、システム制御回路５０は、画像表示部２８の拡大表示領域を上へ微動させる（図３（ｂ））（ステップＳ１２）。更に、ユーザが方向指示キー６９の上移動スイッチを押していくと、システム制御回路５０は、画像表示部２８の拡大表示領域を上へ上へと微動させていく（図３（ｃ）、（ｄ））（ステップＳ１３）。
【００４５】
次に、ユーザが方向指示キー６９の下移動スイッチを押すと、システム制御回路５０は、画像表示部２８の拡大表示領域を下へ微動させる（図３（ｅ））（ステップＳ１４）。次に、ユーザが方向指示キー６９の左移動スイッチを押すと、システム制御回路５０は、画像表示部２８の拡大表示領域を左へ微動させる（図３（ｆ））（ステップＳ１５）。
【００４６】
尚、画像表示部２８に表示する画像の拡大率の設定は、スイッチ操作部７０の拡大ボタン７１、縮小ボタン７２の操作により逐次行うが、ここでは詳細説明は省略する。
【００４７】
以上説明したように、本実施の形態によれば、システム制御回路５０は、第２の領域指示方法による拡大表示領域の最小移動量を、第１の領域指示方法による拡大表示領域の最小移動量よりも少ない量となるように制御を行う。従って、ユーザは第１の領域指示方法である「拡大表示領域をブロック単位で設定」（荒い設定）した後、第２の領域指示方法である「拡大表示領域を細かく設定」（細かい設定）する操作を行うことができる。これにより、デジタルカメラで撮影した画像の拡大表示領域を設定する際の操作を従来よりも簡易な手順で且つ円滑に行うことが可能となり、使い勝手の向上を図ることが可能となる。
【００４８】
［第２の実施の形態］
本発明の第２の実施の形態は、上述した第１の実施の形態に対して、図６に示す点において相違する。本実施の形態のその他の要素は、上述した第１の実施の形態（図１）の対応するものと同一なので、説明を省略する。
【００４９】
図６（ａ）〜（ｒ）は、本実施の形態に係る撮像装置としてのデジタルカメラにおける画像の拡大表示領域に関わる領域指示方法を示す図である。図７及び図８は、拡大表示領域の遷移を示すフローチャートである。
【００５０】
図６乃至図８において、図６（ａ）は、上記第１の実施の形態で説明した第１の領域指示方法により、画像表示部２８に対する画像の拡大表示領域がブロック単位で設定された状態である（ステップＳ２１）。再生ボタン押下による画像表示部２８に対する画像表示開始から、ブロック単位での拡大表示領域の設定までは、上記第１の実施の形態と同様なので説明を省略する。
【００５１】
ユーザはブロック単位での拡大表示領域の設定後、第２の領域指示方法で使用する方向指示キー６９を操作して更に領域を設定して行く。ユーザが方向指示キー６９の上移動スイッチを押すと、システム制御回路５０は、画像表示部２８の拡大表示領域を上へ微動させる（図６（ｂ））（ステップＳ２２）。更に、ユーザが方向指示キー６９の上移動スイッチを押していくと、システム制御回路５０は、画像表示部２８の拡大表示領域を上へ上へと微動させていく（図６（ｃ）、（ｄ））（ステップＳ２３）。
【００５２】
次に、ユーザが方向指示キー６９の下移動スイッチを押すと、システム制御回路５０は、画像表示部２８の拡大表示領域を下へ微動させる（図６（ｅ））（ステップＳ２４）。次に、ユーザが方向指示キー６９の左移動スイッチを押すと、システム制御回路５０は、画像表示部２８の拡大表示領域を左へ微動させる（図６（ｆ））（ステップＳ２５）。
【００５３】
本実施の形態では、第１の領域指示方法による拡大表示領域の移動指示が行われた後、第２の領域指示方法による拡大表示領域の移動指示が行われた場合、第１の領域指示方法による移動量を変更している。
【００５４】
図６（ｇ）からは、第１の領域指示方法による拡大表示領域の移動指示が行われた後、第２の領域指示方法による拡大表示領域の移動指示が行われ、移動量が変更されている様子を示している。図６（ｇ）の表示は、上記図６（ａ）の表示と同様であり、第１の領域指示方法により拡大表示領域がブロック単位で設定された状態である（ステップＳ２６）。ユーザが第２の領域指示方法で使用する方向指示キー６９の上移動スイッチを押すと、システム制御回路５０は、画像表示部２８の拡大表示領域を上へ微動させる（図６（ｈ））（ステップＳ２７）。ここまでは、図６（ａ）、（ｂ）の流れと同様である。
【００５５】
次に、ユーザが第１の領域指示方法で使用するサブダイヤル６８を右へ１クリック回転させると、システム制御回路５０は、画像表示部２８の拡大表示領域を上へ微動させる（図６（ｉ））（ステップＳ２８）。システム制御回路５０は、第１の領域指示方法による指示が行われ、次に第２の領域指示方法による指示が行われた後、更に第１の領域指示方法による指示が行われた場合は、第１の領域指示方法の最小移動量を変更する。即ち、第１の領域指示方法による最小移動量を、ブロック単位だったものを、第２の領域指示方法による最小移動量よりも更に少ない量へ変更する。
【００５６】
尚、最小移動量は、最小移動量を示す数値として設定する方法、或いは、予め用意されている移動量の中から選択する方法など、任意の方法をとることが可能である。
【００５７】
更に、ユーザがサブダイヤル６８を右へ１クリックずつ連続的に回転させていくと、システム制御回路５０は、画像表示部２８の拡大表示領域を連続的に上へ移動させていく（図６（ｊ）、（ｋ）、（ｌ））（ステップＳ２９）。図６（ａ）〜（ｅ）と図６（ｇ）〜（ｋ）とを比較すると、画像表示部２８における拡大表示領域の移動量の違いが分かる。
【００５８】
今度は、ユーザがサブダイヤル６８を左へ１クリック回転させると、システム制御回路５０は、画像表示部２８の拡大表示領域を下へ微動させる（図６（ｍ））（ステップＳ３０）。更に、ユーザがサブダイヤル６８を左へ１クリック回転させると、システム制御回路５０は、画像表示部２８の拡大表示領域を下へ移動させる（図６（ｎ））（ステップＳ３１）。
【００５９】
ここで、ユーザが方向指示キー６９の左移動スイッチを押すと、システム制御回路５０は、画像表示部２８の拡大表示領域を左へ微動させると同時に、第１の領域指示方法における移動方向を上下方向から左右方向へ切り替える（図６（ｏ））（ステップＳ３２）。つまり、ユーザがサブダイヤル６８を左へ１クリック回転させると、システム制御回路５０は、先ほどまでは拡大表示領域を下へ移動させていたが、ここからは拡大表示領域を左へ微動させる（図６（ｐ））。更に、ユーザがサブダイヤル６８を左へ１クリック回転させていくと、システム制御回路５０は、画像表示部２８の拡大表示領域を左へ微動させていく（図６（ｑ）、（ｒ））（ステップＳ３３）。
【００６０】
第１の領域指示方法による拡大表示領域の移動指示が行われ、第２の領域指示方法による拡大表示領域の移動指示が行われた後での、第１の領域指示方法による移動量が変更されている。本来、第１の領域指示方法ではブロック単位での拡大表示領域の設定を行っているが、第２の領域指示方法による拡大表示領域の移動指示が行われたことにより、拡大表示領域の設定が次の段階へ移ったので、第１の領域指示方法による移動量を変更している。
【００６１】
第１の領域指示方法で使用する操作部材は、連続的な入力がし易いサブダイヤル６８であるため、第１の領域指示方法における変更後の移動量を、第２の領域指示方法による移動量より更に細かい移動量に設定している。また、第２の領域指示方法で使用する操作部材は、方向情報（左右上下）を指示可能な方向指示キー６９であるため、第１の領域指示方法による移動方向を違和感無く切り替えることができる。
【００６２】
以上説明したように、本実施の形態によれば、システム制御回路５０は、第１の領域指示方法による指示後に、第２の領域指示方法による指示が行われ、更に第１の領域指示方法による指示が行われた場合、第１の領域指示方法の最小移動量を第２の領域指示方法の最小移動量より少ない量へ変更する。これにより、拡大表示領域設定作業の流れに沿った操作系を実現することができ、デジタルカメラで撮影した画像の拡大表示領域を設定する際の操作を従来よりも簡易な手順で且つ円滑に行うことが可能となり、使い勝手の向上を図ることが可能となる。
【００６３】
［第３の実施の形態］
本発明の第３の実施の形態は、上述した第１の実施の形態に対して、図９に示す点において相違する。本実施の形態のその他の要素は、上述した第１の実施の形態（図１）の対応するものと同一なので、説明を省略する。
【００６４】
図９（ａ）〜（ｅ）は、本実施の形態に係る撮像装置としてのデジタルカメラにおける画像の拡大表示領域に関わる領域指示方法を示す図である。図１０は、拡大表示領域の遷移を示すフローチャートである。
【００６５】
図９及び図１０において、ユーザがスイッチ操作部７０の再生ボタンを押すと、システム制御回路５０は、画像表示部２８に画像を表示する（図９（ａ））（ステップＳ４１）。この場合、画像表示部２８に表示する画像は、サブダイヤル６８を回転させることにより選択することができる。ここでは、画像表示部２８に始めに表示した図９（ａ）の画像を例に挙げて説明していく。
【００６６】
次に、ユーザがスイッチ操作部７０の拡大ボタン７１を押し拡大モードに設定すると、システム制御回路５０は、画像を例えば９分割した領域のうち中央領域の拡大画像を画像表示部２８に表示する。同時に、システム制御回路５０は、現在表示されている領域が画像のどの部分であるかを示す領域確認用表示２９も画像表示部２８に表示する（図９（ｂ））（ステップＳ４２）。
【００６７】
次に、ユーザが方向指示キー６９の下移動スイッチを押しながらサブダイヤル６８を左へ１クリック回転させると、システム制御回路５０は、画像表示部２８の拡大表示領域を中央領域から左斜め下の領域へ移動させる（図９（ｃ））（ステップＳ４３）。
【００６８】
次に、ユーザが方向指示キー６９の上移動スイッチを押しながらサブダイヤル６８を右へ１クリック回転させると、システム制御回路５０は、画像表示部２８の拡大表示領域を現在の位置から右斜め上の領域である中央領域へ移動させる（図９（ｄ））（ステップＳ４４）。
【００６９】
次に、ユーザがサブダイヤル６８と同時に押す方向指示キー６９を下移動スイッチに変えて、サブダイヤル６８を右へ１クリック回転させると、システム制御回路５０は、画像表示部２８の拡大表示領域を現在の位置から右斜め下の領域へ移動させる（図９（ｅ））（ステップＳ４５）。
【００７０】
第２の領域指示方法による拡大表示領域の指示中に、第１の領域指示方法による拡大表示領域の指示が行われた場合、第１の領域指示方法と第２の領域指示方法それぞれ単独で指示される方向とは別の方向を指示することができる。ここでは、方向指示キー６９の上移動スイッチ及び下移動スイッチと、サブダイヤル６８の右左回転という操作部材の組み合わせで、斜め方向という全く別の方向の指示を実現することができる。
【００７１】
尚、上記別の方向は、方向指示キー６９を使用した第２の領域指示方法による指示方向に対して、サブダイヤル６８を使用した第１の領域指示方法による回転方向に略４５度回転した方向である。
【００７２】
以上説明したように、本実施の形態によれば、システム制御回路５０は、第２の領域指示方法による拡大表示領域の指示中に、第１の領域指示方法による拡大表示領域が指示された場合、第１及び第２の領域指示方法それぞれ単独で指示される方向とは別の方向を指示する制御を行う。これにより、新規な操作部材を設けることなく別な方向指示を行うことができ、デジタルカメラで撮影した画像の拡大表示領域を設定する際の操作を従来よりも簡易な手順で且つ円滑に行うことが可能となり、使い勝手の向上を図ることが可能となる。
【００７３】
［他の実施の形態］
上記第１乃至第３の実施の形態では、デジタルカメラの画像表示部に画像の拡大表示領域を設定する際の画像の分割数を９分割とした場合を例に挙げたが、本発明は、これに限定されるものではない。画像の分割数は任意数とすることが可能である。
【００７４】
上記第１乃至第３の実施の形態では、デジタルカメラの画像表示部に最初に表示する初期の拡大表示領域を複数分割領域のうち中央領域とした場合を例に挙げたが、本発明は、これに限定されるものではない。初期の拡大表示領域は任意の領域とすることが可能である。
【００７５】
上記第１乃至第３の実施の形態では、デジタルカメラの画像表示部に画像の一部分を拡大して表示する際の拡大表示領域を指示する場合を例に挙げたが、本発明は、これに限定されるものではない。画像をトリミングして印刷装置で印刷する際にデジタルカメラの画像表示部に表示するトリミング領域を指示する場合にも適用することが可能である。
【００７６】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００７７】
この場合、記憶媒体から読み出されたプログラムコード自体が前述した実施の形態の機能を実現することになり、そのプログラムコード及び該プログラムコードを記憶した記憶媒体は本発明を構成することになる。
【００７８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００７９】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００８０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００８１】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【００８２】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【００８３】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【００８４】
【図１】本発明の第１の実施の形態に係る撮像装置としてのデジタルカメラの構成を示すブロック図である。
【図２】（ａ）〜（ｈ）はデジタルカメラにおける画像の拡大表示領域に関わる第１の領域指示方法を示す図である。
【図３】（ａ）〜（ｆ）はデジタルカメラにおける画像の拡大表示領域に関わる第２の領域指示方法を示す図である。
【図４】第１の領域指示方法による拡大表示領域の遷移を示すフローチャートである。
【図５】第２の領域指示方法による拡大表示領域の遷移を示すフローチャートである。
【図６】（ａ）〜（ｒ）は本発明の第２の実施の形態に係る撮像装置としてのデジタルカメラにおける画像の拡大表示領域に関わる領域指示方法を示す図である。
【図７】拡大表示領域の遷移を示すフローチャートである。
【図８】図７の続きである。
【図９】（ａ）〜（ｅ）は本発明の第３の実施の形態に係る撮像装置としてのデジタルカメラにおける画像の拡大表示領域に関わる領域指示方法を示す図である。
【図１０】拡大表示領域の遷移を示すフローチャートである。
【図１１】（ａ）〜（ｈ）は従来例に係るデジタルカメラにおける画像の拡大表示領域に関わる領域指示方法を示す図である。
【符号の説明】
【００８５】
２８  画像表示部（表示手段）
２９  領域確認用表示
５０  システム制御回路（制御手段）
６８  サブダイヤル（第１の操作手段）
６９  方向指示キー（第２の操作手段）
７１  拡大キー（第１の操作手段）
１００  デジタルカメラ（撮像装置）
【図１】
2006345104.tif 000003
【図２】
2006345104.tif 000004
【図３】
2006345104.tif 000005
【図４】
2006345104.tif 000006
【図５】
2006345104.tif 000007
【図６】
2006345104.tif 000008
【図７】
2006345104.tif 000009
【図８】
2006345104.tif 000010
【図９】
2006345104.tif 000011
【図１０】
2006345104.tif 000012
【図１１】
2006345104.tif 000013